(57)【要約】      （修正有）【課題】裾部分の柄の出方にばらつきがなく、かつ、一定の長さの仕上がりとなるようなボトム衣類およびその製造方法を提供する。【解決手段】プリント生地に記録されたパーツを裁断し縫製したボトム衣類の裾部がボトム本体部１２Ｒとは別の裾パーツ１４Ｒからなり、一方の端部Ｅ１とボトム本体部裾側端部とが同じ方向に揃えられて中表になるように接ぎ部Ｓ１で固着されてボトム本体部１２Ｒの裾側端部に取り付けられ、裾パーツは接ぎ部Ｓ１で折り返され、さらに、所定の長さでボトム本体部裏側に向かって折り返され、裾パーツの他方の端部Ｅ２がボトム本体部の裏側で固着され、裾パーツの一方の端部Ｅ１側には、ボトム衣類の表地の柄２０がプリントされており、それ以外の部分にはボトム衣類の裏地の柄２２がプリントされ、ボトム本体部裏側の裾パーツの長さＬ２は、ボトム本体部表側に顕出している裾パーツの長さＬ１の１．５倍以上の長さを有している。【選択図】図４
2018109254.tif 000002
【特許請求の範囲】
【請求項１】
プリント生地に記録されたパーツを裁断し縫製してなるボトム衣類であって、
前記ボトム衣類の裾部がボトム本体部とは別パーツからなり、
前記裾部を構成する裾パーツは、その一方の端部と前記ボトム本体部裾側端部とが同じ方向に揃えられて中表になるように接ぎ部で固着されて前記ボトム本体部の裾側端部に取り付けられており、
前記裾パーツは、前記接ぎ部で折り返され、さらに、所定の長さの箇所でボトム本体部裏側に向かって折り返され、前記裾パーツの他方の端部が前記ボトム本体部の裏側で固着されており、
前記裾パーツの前記一方の端部側には、ボトム衣類の表地の柄がプリントされており、
前記裾パーツのそれ以外の部分には、ボトム衣類の裏地の柄がプリントされており、
ボトム本体部裏側の裾パーツの長さは、ボトム本体部表側に顕出している裾パーツの長さの１．５倍以上の長さを有している
ことを特徴とするボトム衣類。
【請求項２】
前記ボトム衣類の表地の柄がデニム表地の柄であり、前記ボトム衣類の裏地の柄がデニム裏地の柄である、請求項１記載のボトム衣類。
【請求項３】
前記プリント生地の、前記ボトム衣類の上下方向での伸度が５０％〜１００％の範囲内にあり、前記ボトム衣類の左右方向での伸度が９０％〜２００％の範囲内にある、請求項１または２記載のボトム衣類。
【請求項４】
前記プリント生地の回復率が、７０％〜１００％の範囲内にある、請求項１から３のいずれか一項に記載のボトム衣類。
【請求項５】
前記裾パーツの前記ボトム本体部の裏側への固着が、前記ボトム本体部表側に縫い目が出ない縫い方でなされている、請求項１から４のいずれか一項に記載のボトム衣類。
【請求項６】
ステッチ、耳部、ポケット、ベルトループ、ファスナーおよびボタンから選択される少なくとも１つが、柄としてプリントされている、請求項１から５のいずれか一項に記載のボトム衣類。
【請求項７】
プリント生地に記録されたパーツを裁断し縫製するボトム衣類の製造方法であって、
生地に表地の柄と裏地の柄とを同一面にプリントするとともに、前記ボトム衣類を構成する各パーツを型取りしたプリント生地を用意するプリント工程と、
前記ボトム衣類を構成する各パーツを、所定のサイズに裁断する裁断工程と、
前記裁断された各パーツを縫製する縫製工程とを含み、
前記プリント工程において、前記プリント生地の表地の柄と裏地の柄とを含む部分に、前記ボトム衣類の裾部を構成する裾パーツが形成されるように型取りを行い、
前記縫製工程において、前記裾パーツを、前記表地の柄を有する側の端部とボトム本体部を構成するパーツの裾側端部とを同じ方向に揃えて中表になるように接ぎ部で固着し、
ついで前記裾パーツを前記接ぎ部で折り返し、さらに、所定の長さの箇所でボトム本体部裏側に向かって折り返し、前記裾パーツの他方の端部を前記ボトム本体部の裏側で固着することを特徴とする、ボトム衣類の製造方法。
【請求項８】
前記ボトム本体部裏側に折り返された裾パーツの長さが、前記ボトム本体部表側に顕出している裾パーツの長さの１．５倍以上の長さとなるようにする、請求項７記載のボトム衣類の製造方法。
【発明の詳細な説明】
【技術分野】
【０００１】
本発明は、ボトム衣類およびボトム衣類の製造方法に関する。
【背景技術】
【０００２】
デニム調柄、ツイード調柄およびチェック柄等の模様を、インクジェット等の方法を用いて表現した生地を用いて衣類を製造する技術が開示されている（例えば、特許文献１参照）。前記技術を用いることで、衣類の柄が記録された生地から各パーツを裁断し、裁断された各パーツを縫製して衣類を形成できる。また、例えば、色に濃淡を付けてダメージを表現した衣類を、デニム生地を用いることなく、またダメージ処理をすることなく製造することが可能となる。さらに、伸縮性に優れた生地を用いて、デニム風の衣類を製造することも可能となる。
【先行技術文献】
【特許文献】
【０００３】
【特許文献１】特許第５９６６１１１号公報
【発明の概要】
【発明が解決しようとする課題】
【０００４】
しかしながら、柄付をした後の処理工程で、生地のサイズが変化してしまう場合があった。特にボトム衣類の裾部分の柄に特徴があるような場合、生地の前記サイズ変化が生じると、ボトムに縫製した際に脚長さ等が目標どおりの長さにならないという問題が生じてしまう。このとき、目標どおりの長さになるように生地を裁断すると、裾部分にあるべき柄が所望の位置に出ないという問題が生じてしまっていた。
【０００５】
そこで、本発明は、生地の仕上がり長さにばらつきが生じるような場合であっても、裾部分の柄の出方にばらつきがなく、かつ、一定の長さの仕上がりとなるようなボトム衣類およびボトム衣類の製造方法を提供することを目的とする。
【課題を解決するための手段】
【０００６】
前記目的を達成するために、本発明のボトム衣類は、プリント生地に記録されたパーツを裁断し縫製してなるボトム衣類であって、
前記ボトム衣類の裾部がボトム本体部とは別パーツからなり、
前記裾部を構成する裾パーツは、その一方の端部と前記ボトム本体部裾側端部とが同じ方向に揃えられて中表になるように接ぎ部で固着されて前記ボトム本体部の裾側端部に取り付けられており、
前記裾パーツは、前記接ぎ部で折り返され、さらに、所定の長さの箇所でボトム本体部裏側に向かって折り返され、前記裾パーツの他方の端部が前記ボトム本体部の裏側で固着されており、
前記裾パーツの前記一方の端部側には、ボトム衣類の表地の柄がプリントされており、
前記裾パーツのそれ以外の部分には、ボトム衣類の裏地の柄がプリントされており、
ボトム本体部裏側の裾パーツの長さは、ボトム本体部表側に顕出している裾パーツの長さの１．５倍以上の長さを有していることを特徴とする。
【０００７】
また、本発明のボトム衣類の製造方法は、プリント生地に記録されたパーツを裁断し縫製するボトム衣類の製造方法であって、
生地に表地の柄と裏地の柄とを同一面にプリントするとともに、前記ボトム衣類を構成する各パーツを型取りしたプリント生地を用意するプリント工程と、
前記ボトム衣類を構成する各パーツを、所定のサイズに裁断する裁断工程と、
前記裁断された各パーツを縫製する縫製工程とを含み、
前記プリント工程において、前記プリント生地の表地の柄と裏地の柄とを含む部分に、前記ボトム衣類の裾部を構成する裾パーツが形成されるように型取りを行い、
前記縫製工程において、前記裾パーツを、前記表地の柄を有する側の端部とボトム本体部を構成するパーツの裾側端部とを同じ方向に揃えて中表になるように接ぎ部で固着し、
ついで前記裾パーツを前記接ぎ部で折り返し、さらに、所定の長さの箇所でボトム本体部裏側に向かって折り返し、前記裾パーツの他方の端部を前記ボトム本体部の裏側で固着することを特徴とする。
【発明の効果】
【０００８】
本発明によれば、生地の仕上がり長さにばらつきが生じるような場合であっても、裾部分の柄の出方にばらつきがなく、かつ、一定の長さの仕上がりとなるようなボトム衣類およびボトム衣類の製造方法を提供することができる。
【図面の簡単な説明】
【０００９】
【図１】図１は、本発明のボトム衣類の第１の実施形態に係るデニム調パンツ１００を示す図である。図１（Ａ）は、デニム調パンツ１００の正面図、図１（Ｂ）は、デニム調パンツ１００の背面図である。
【図２】図２は、本発明の第１の実施形態に係るデニム調パンツ１００の素材となるプリント生地を示す図である。
【図３】図３は、本発明の第１の実施形態に係るデニム調パンツ１００の裾パーツの拡大図である。
【図４】図４は、本発明の第１の実施形態に係るデニム調パンツ１００の裾パーツの取り付け方を説明する、裾部付近の拡大図である。
【図５】図５は、本発明の第１の実施形態に係るデニム調パンツ１００の腰部付近の拡大図である。図５（Ａ）は、デニム調パンツ１００の腰部付近の背面図、図５（Ｂ）は、デニム調パンツ１００の着用状態を示す腰部付近の背面斜視図である。
【図６】図６は、本発明のボトム衣類の変形例に係るプリントパンツ６００を示す図である。図６（Ａ）は、プリントパンツ６００の腰部付近の背面図、図６（Ｂ）は、プリントパンツ６００の着用状態を示す腰部付近の背面斜視図である。
【発明を実施するための形態】
【００１０】
本発明の衣類について、例をあげて説明する。ただし、本発明は、以下の例に限定および制限されない。
【００１１】
（第１の実施形態）
図１に、本発明のボトム衣類の第１の実施形態に係るデニム調パンツ１００を示す。図１（Ａ）は、デニム調パンツ１００の正面図、図１（Ｂ）は、デニム調パンツ１００の背面図である。図２は、デニム調パンツ１００の素材となるプリント生地１１０を示す図である。
【００１２】
デニム調パンツ１００は、図２に示すプリント生地１１０を用いて製造される。プリント生地１１０には、デニム調パンツ１００を構成する各パーツが記録（プリント）されている。デニム調パンツ１００は、プリント生地１１０からデニム調パンツ１００を構成する各パーツを裁断し、裁断された各パーツを縫製して製造される。プリント生地１１０には、デニム調パンツ１００の柄とともに各パーツの型取り線が記録されている。デニム調パンツ１００の前記柄としては、デニムの表地の柄２０とデニムの裏地の柄２２とが同一面にプリントされている。
【００１３】
本実施形態のデニム調パンツ１００は、左前身部１１Ｌ、右前身部１１Ｒ、左後身部１２Ｌ、右後身部１２Ｒ、左前裾部１３Ｌ、右前裾部１３Ｒ、左後裾部１４Ｌ、右後裾部１４Ｒ、左後ヨーク部１５Ｌおよび右後ヨーク部１５Ｒの各パーツからなる。前身部（１１Ｌ、１１Ｒ）、後身部（１２Ｌ、１２Ｒ）、前裾部（１３Ｌ、１３Ｒ）、後裾部（１４Ｌ、１４Ｒ）は左右対称な形状で形成されているが、柄については左右対称であっても、左右対称ではなくてもよい。例えばデニム生地のダメージ加工により生じる柄等は、左右で異なる柄とすることで、よりリアルに再現できる。
【００１４】
また、ステッチ、耳部、ポケット、ベルトループ、ファスナーおよびボタン等、ボトム衣類に形成又は付与されるものが、柄としてプリントされていてもよい。例えば、ウエスト部をゴム仕上げにして着脱を容易にしたパンツに、ボタンやステッチ等の柄を施すことで、ウエストゴム仕上げではない前開きのパンツであるかのように見せることもできる。本実施形態においては、前裾部（１３Ｌ、１３Ｒ）に耳部柄２３がプリントされている。
【００１５】
上述のとおり、本発明のボトム衣類は、裾部がボトム本体部とは別パーツからなっている。図３は、本発明の第１の実施形態に係るデニム調パンツ１００の裾パーツ（一例として、後裾部１４Ｒ）の拡大図である。また、図４は、デニム調パンツ１００の裾パーツ（前裾部（１３Ｌ、１３Ｒ）、後裾部（１４Ｌ、１４Ｒ））の取り付け方を説明する、裾部付近の拡大図である。同図においては、ボトム本体部として右後身部１２Ｒに裾パーツの右後裾部１４Ｒを取り付ける場合を示すが、他の裾パーツの取り付けも同様に行うことができる。
【００１６】
デニム調パンツ１００の裾パーツは、プリント生地の表地の柄２０と裏地の柄２２とを含む部分に形成されるように型取りされている。裾パーツ１４Ｒは、図２および図３に示すように、一方の端部Ｅ１側にはボトム衣類の表地の柄２０がプリントされており、それ以外の部分にはボトム衣類の裏地の柄２２がプリントされている。そして、裾パーツ１４Ｒには、さらに、ステッチ柄２５もプリントされている。
【００１７】
まず、裾パーツ１４Ｒを、その一方の端部Ｅ１とボトム本体部１２Ｒ裾側端部とを同じ方向に揃えて中表になるように接ぎ部Ｓ１で固着して、ボトム本体部１２Ｒの裾側端部に取り付ける。接ぎ部Ｓ１での固着は、二本針オーバ接ぎ等の方法で行うことができる。ついで、裾パーツ１４Ｒを、接ぎ部Ｓ１の縁部付近で折り返して、さらに、所定の長さＬ１の箇所（図中のＴの位置）でボトム本体部１２Ｒ裏側に向かって折り返す。そして、裾パーツ１４Ｒの他方の端部Ｅ２をボトム本体部１２Ｒの裏側で固着する。
【００１８】
上記の方法によると、プリント生地が処理工程を経ることで、ボトム本体部の脚長さが不揃いとなったような場合でも、ボトム本体部の裾部分を一定の長さにカットして裾パーツを取り付けるので、製品の脚長さを一定にすることができる。したがって、プリント生地の仕上がり許容幅を広げても製品歩留まりを上げることが可能となる。
【００１９】
また、折り返し位置に切り替えを入れることで、例えば図４におけるＳ１部分で立体感が出て、さらに、ステッチ柄２５もプリントされていることで、よりリアルなデニム感を表現することができる。
【００２０】
裾パーツ１４Ｒの他方の端部Ｅ２は、接ぎ部Ｓ２でボトム本体部１２Ｒの裏側に固着してもよいし、端部を縫製等の手段でボトム本体部１２Ｒの裏側に固着してもよい。固着を縫製で行う場合には、ボトム本体部の表側に縫い目が出ない、すくい縫い等の縫い方で行うことが好ましい。
【００２１】
デニム調パンツ１００のボトム本体部裏側の裾パーツの長さＬ２は、ボトム本体部表側に顕出している裾パーツの長さＬ１の１．５倍以上の長さを有している。通常のジーンズを着用する際には、着用者の体型や状況に応じて、裾部分を折り返すことがある。プリント生地からパンツを作製した場合、通常、プリント生地の裏面にはプリントが施されていないため、通常のジーンズのように裾部分を折り返して着用しようとすると、生地の裏面が露出して違和感が生じていた。そこで、上記のように、ボトム本体部裏側の裾パーツの長さＬ２を、ボトム本体部表側に顕出している裾パーツの長さＬ１の１．５倍以上の長さとすることで、裾を折り返しても端部処理等の縫い目や生地の裏面が露出せず、裏地の柄２２の部分を見せることができる。このように、本実施形態のデニム調パンツ１００によると、デニム生地を用いることなく、よりデニム生地に近い外観のボトム衣類の提供を可能とする。
【００２２】
本発明で用いるプリント生地としては、伸縮性を有する素材により構成されることが好ましい。伸縮性を有する素材を用いることで、衣類の身体への追随性の向上と、締め付け感や動き辛さの軽減とを両立させることができる。伸縮性を有する素材としては、ウールや綿、レーヨン、アクリル、ポリエステル、ナイロンに、ポリウレタンを混用した、トリコット、ラッセル、丸編みのシングル組織やダブル組織、ストレッチ性のある織物を好適に用いることができる。生地へのプリントは、各種印刷方法で実施可能であるが、インクジェットによるプリントを行うことが好ましい。
【００２３】
前記プリント生地は、ボトム衣類の上下方向での伸度が５０％〜１００％の範囲内にあり、ボトム衣類の左右方向での伸度が９０％〜２００％の範囲内にあることが好ましい。ここで、「上下」とは、着用状態における上下方向（着丈方向）を、「左右」とは、着用状態における左右方向（わたり方向）をいう。
【００２４】
さらに、前記プリント生地の回復率が、７０％〜１００％の範囲内にあることが好ましい。
【００２５】
ここで、伸度および回復率は、次の条件で測定した値である。
【００２６】
（試験片の調整）
プリント生地を、長さ１０．０ｃｍおよび長さ２．５ｃｍにカットし、試験片とする（プリント生地の上下方向と左右方向の両方を測定する）。
【００２７】
（伸度）
試験片を、１０．０ｃｍの長さが上下方向となるように向け、定速伸長形引張試験機（島津製作所製”オートグラフ”ＡＧ−５００Ｄ）に取り付け、３０±２ｃｍ／分の速度で、２２．１Ｎ（２．５ｋｇｆ）の荷重をかけ、荷重１４．７Ｎ（１．５０ｋｇｆ）の伸び率を測定し、２回の平均値を算出し、整数位で表した数値を伸度とした。
【００２８】
（回復率）
試験片について、伸度８０％までの引っ張りを行う。伸度８０％までの引っ張りを行った後、試験片にかかる応力を取り去ると、試験片が元の長さに戻ろうとするが、徐重して０Ｎ（０ｋｇｆ）になった時の残留伸度（％）を測定し、その値をＬ１とする。回復率は、下記数式により算出する（Ｌ＝８０）。
回復率（％）＝［（Ｌ−Ｌ１）／Ｌ］×１００
【００２９】
通常は伸びが殆ど望めないデニムであるが、デニム調の柄を上記のような伸びる生地にプリントすることで、ストレッチ性に優れた「伸びるデニム（風）」を実現することができる。しかし、伸びる生地を使用する場合には、製造時の寸法安定性が良好ではないという問題が起こりやすい。その際に、寸法が安定しないまま製品にすると、柄出し等が安定しないために見栄えが悪くなったり、あるいは柄を定位置に出そうとすると歩留まりが悪くなるという課題が発生する。本発明によると、プリントによるリアルなデニム風の、かつ、伸びる生地を使用しても、寸法安定性の課題を解決して、良好な仕上がりとすることができる。
【００３０】
本実施形態においては、プリント生地１１０として、ボトム衣類の上下方向での伸度が７５％、回復率が８７％、ボトム衣類の左右方向での伸度が１６３％、回復率が８９％であるトリコット（ナイロン８５％、ポリウレタン１５％）に、インクジェットによりプリントを行った生地を用いた。
【００３１】
図５に、本実施形態に係るデニム調パンツ１００の腰部付近の拡大図を示す。図５（Ａ）は、デニム調パンツ１００の腰部付近の背面図、図５（Ｂ）は、デニム調パンツ１００の着用状態を示す腰部付近の背面斜視図である。
【００３２】
また、図６に、本発明のボトム衣類の変形例に係るプリントパンツ６００を示す。図６（Ａ）は、プリントパンツ６００の腰部付近の背面図、図６（Ｂ）は、プリントパンツ６００の着用状態を示す腰部付近の背面斜視図である。
【００３３】
図５に示すように、デニム調パンツ１００は、後ヨーク部（左後ヨーク部１５Ｌおよび右後ヨーク部１５Ｒ）で生地を切り替えている。このように生地を切り替えることで、立体化を実現している。一方、図６に示すように、プリントパンツ６００においては、ヒップを立体的に見せるための後ヨーク部を用いず、左後身部１２Ｌおよび右後身部１２Ｒの各々上部に縦にダーツＤを入れている。立体縫製のためには、後ヨーク部での切り替えを用いても、ダーツを用いても構わない。デニム調パンツの場合には、ジーンズのパターンで多く用いられている後ヨーク部での生地の切り替えを行うと、よりデニムパンツの外観に近づけることができるので、好ましい。
【００３４】
以上、本発明の具体例として、デニム調パンツおよびプリントパンツを挙げて本発明を説明したが、本発明の衣類は、これらの具体例で記載されたもののみに限定されるものではなく、種々の態様が可能である。例えば、上記の実施形態のようなボトム衣類以外にも、裾部分を折り返して着用する衣類には、好適に適用することができる。
【符号の説明】
【００３５】
１００  デニム調パンツ（ボトム衣類）
１１０  プリント生地
１１Ｌ  左前身部（ボトム本体部）、１１Ｒ  右前身部（ボトム本体部）
１２Ｌ  左後身部（ボトム本体部）、１２Ｒ  右後身部（ボトム本体部）
１３Ｌ  左前裾部（裾パーツ）、１３Ｒ  右前裾部（裾パーツ）
１４Ｌ  左後裾部（裾パーツ）、１４Ｒ  右後裾部（裾パーツ）
１５Ｌ  左後ヨーク部、１５Ｒ  右後ヨーク部
２０  表地の柄
２２  裏地の柄
２３  耳部柄
２５  ステッチ柄
６００  プリントパンツ（ボトム衣類）
Ｓ１、Ｓ２  接ぎ部
Ｄ  ダーツ
【図１】
2018109254.tif 000003
【図２】
2018109254.tif 000004
【図３】
2018109254.tif 000005
【図４】
2018109254.tif 000006
【図５】
2018109254.tif 000007
【図６】
2018109254.tif 000008